(57)【要約】【課題】リサイクル等によりカートリッジ内部の消耗品を詰め替えた場合であっても、当該カートリッジが純正品か否かを識別することができるテープ印刷装置用カートリッジ及びテープ印刷装置を提供する。【解決手段】印字テープ２２がロール状に巻回されたテープコア２１と、印字テープ２２への印字に使用されるインクリボン２４がロール状に巻回されたインクリボンコア２３と、印字に使用されたインクリボン２４をロール状に巻回する巻取りコア２５と、テープコア２１と、インクリボンコア２３と、巻取りコア２５とを収納し、テープ印刷装置に着脱自在に装着されるカートリッジケース２０とを備え、テープコア２１、インクリボンコア２３及び巻取りコア２５の少なくとも一つに、所定の情報が記録されたＩＣタグ１００が取り付けられている。【選択図】図３
2008030436.tif 000002
【特許請求の範囲】
【請求項１】
印字テープがロール状に巻回されたテープコアと、
前記印字テープへの印字に使用されるインクリボンがロール状に巻回されたインクリボンコアと、
印字に使用された前記インクリボンをロール状に巻回する巻取りコアと、
前記テープコア、前記インクリボンコア及び前記巻取りコアを収納し、テープ印刷装置に着脱自在に装着されるカートリッジケースと
を備え、
前記テープコア、前記インクリボンコア及び前記巻取りコアの少なくとも一つに、所定の情報が記録されたＩＣタグが取り付けられていることを特徴とするテープ印刷装置用カートリッジ。
【請求項２】
前記ＩＣタグは、当該テープ印刷装置用カートリッジの製造元を特定する識別情報が記録されていることを特徴とする請求項１記載のテープ印刷装置用カートリッジ。
【請求項３】
前記ＩＣタグは、当該ＩＣタグを唯一に特定する固有ＩＤが記録されていることを特徴とする請求項１又は２記載のテープ印刷装置用カートリッジ。
【請求項４】
少なくとも請求項１〜３の何れかに記載のテープ印刷装置用カートリッジが着脱自在に装着されるカートリッジ装着部と、
前記テープ印刷装置用カートリッジのＩＣタグに記録された情報を読み込むリーダー部と、
前記リーダー部により読み込まれた情報に基づき、前記テープ印刷装置用カートリッジが純正品であるか否かを識別し、当該テープ印刷装置用カートリッジが純正品でないとき、所定の情報を出力する制御部と
を備えたことを特徴とするテープ印刷装置。
【請求項５】
前記カートリッジ装着部に、請求項２記載のテープ印刷装置用カートリッジが装着されたとき、
前記制御部は、前記テープ印刷装置用カートリッジの製造元を特定する識別情報に基づき、前記テープ印刷装置用カートリッジが純正品であるか否かを識別することを特徴とする請求項４記載のテープ印刷装置。
【請求項６】
前記カートリッジ装着部に、請求項３記載のテープ印刷装置用カートリッジが装着されたとき、
前記制御部は、前記ＩＣタグを唯一に特定する固有ＩＤの情報に基づき、前記テープ印刷装置用カートリッジが純正品であるか否かを識別することを特徴とする請求項４記載のテープ印刷装置。
【請求項７】
入力された情報を表示する表示部を備え、
前記制御部は、前記テープ印刷装置用カートリッジが純正品でないとき、所定の情報を前記表示部へ出力することを特徴とする請求項４〜６の何れかに記載のテープ印刷装置。
【請求項８】
入力された音声信号を出力するスピーカを備え、
前記制御部は、前記テープ印刷装置用カートリッジが純正品でないとき、所定の音声信号を前記スピーカへ出力することを特徴とする請求項４〜７の何れかに記載のテープ印刷装置。
【請求項９】
前記制御部は、前記所定の情報を所定の時間出力した後、通常使用状態に移行することを特徴とする請求項４〜８の何れかに記載のテープ印刷装置。
【請求項１０】
キー操作による信号を前記制御部に入力する入力部を備え、
前記制御部は、前記所定の情報を出力した後、前記入力部から所定のキー操作信号が入力されたとき、通常使用状態に移行することを特徴とする請求項４〜９の何れかに記載のテープ印刷装置。
【発明の詳細な説明】
【技術分野】
【０００１】
本発明は、テープ印刷装置用カートリッジ及びテープ印刷装置に関し、特に、ＩＣタグを用いたテープ印刷装置用カートリッジの識別に関する。
【背景技術】
【０００２】
環境問題への取り組みの一つとして、製品のリサイクルが挙げられる。特に、プリンタやコピー機のカートリッジ等の消耗品について、各企業は、環境問題への配慮の観点から積極的にこれらの再生利用を行っている。テープ印刷装置用カートリッジについても例外ではない。このようなリサイクル製品は、当該製品を製造した製造メーカ又は推奨メーカ（以下、純正品製造者という）による品質管理の下、必要な補修や印字テープ、インクリボンなどを補充し、いわゆる純正品としてユーザに提供され、ユーザは安心してリサイクル製品を使用し、環境問題に貢献することができる。
【０００３】
このようなリサイクルは、純正品製造者でない者によっても行われており、当該テープ印刷装置に不適な消耗品が補充された品質の悪い粗悪品が、ユーザに提供されている。また、純正品を模倣したいわゆる海賊版カートリッジが使用される場合もある。
【０００４】
従来は、この粗悪品又は海賊版カートリッジに対する対策として、カートリッジにＩＣタグを取り付け、ＩＣタグに記憶された情報に基づき、純正品又は推奨品であるか否かを識別している。例えば、「トナー、インキ等の消耗品を充填したカートリッジ容器本体に、カートリッジに関する商品名、製造者名、販売者名、バーコード等の商品情報を記録したＩＣメモリタグが取り付けられていることを特徴とするＩＣメモリタグ付カートリッジ。」が提案されている（例えば、特許文献１参照）。
【０００５】
【特許文献１】特開２００３−３９７８３号公報（請求項１）
【発明の開示】
【発明が解決しようとする課題】
【０００６】
しかしながら、従来のＩＣタグ付きカートリッジは、純正品製造者でない者により、カートリッジ内部の消耗品を詰め替えた場合、カートリッジ自体は純正品と判断されてしまい、粗悪品を使用しているにも係わらず、ユーザはそれを認識することができず、品質の低下や機器の故障などの原因となり、さらには、リサイクル商品に対する信用を害することとなる、という問題点があった。
【０００７】
本発明は、このような問題点を解決するためになされたものであり、リサイクル等によりカートリッジ内部の消耗品を詰め替えた場合であっても、当該カートリッジが純正品か否かを識別することができるテープ印刷装置用カートリッジ及びテープ印刷装置を提供することを目的とする。
【課題を解決するための手段】
【０００８】
本発明に係るテープ印刷装置用カートリッジは、印字テープがロール状に巻回されたテープコアと、前記印字テープへの印字に使用されるインクリボンがロール状に巻回されたインクリボンコアと、印字に使用された前記インクリボンをロール状に巻回する巻取りコアと、前記テープコアと、前記インクリボンコアと、前記巻取りコアとを収納し、テープ印刷装置に着脱自在に装着されるカートリッジケースとを備え、前記テープコア、前記インクリボンコア及び前記巻取りコアの少なくとも一つに、所定の情報が記録されたＩＣタグが取り付けられている。
本発明においては、カートリッジケース内に収納されるテープコア、インクリボンコア及び巻取りコアの少なくとも一つにＩＣタグを取り付けており、このため、リサイクル等によりカートリッジ内部の印字テープなどの消耗品を詰め替えた場合であっても、当該テープ印刷装置用カートリッジが純正品か否かを識別することができる。
【０００９】
本発明に係るテープ印刷装置用カートリッジにおいて、前記ＩＣタグは、当該テープ印刷装置用カートリッジの製造元を特定する識別情報が記録されている。
本発明においては、当該テープ印刷装置用カートリッジの製造元を特定する識別情報がＩＣタグに記録されており、当該テープ印刷装置用カートリッジが純正品か否かを識別することができる。
【００１０】
本発明に係るテープ印刷装置用カートリッジにおいて、前記ＩＣタグは、当該ＩＣタグを唯一に特定する固有ＩＤが記録されている。
本発明においては、ＩＣタグに、当該ＩＣタグを唯一に特定する固有ＩＤが記録されており、当該テープ印刷装置用カートリッジが純正品か否かを識別することができる。
【００１１】
本発明に係るテープ印刷装置は、少なくとも上記のテープ印刷装置用カートリッジが着脱自在に装着されるカートリッジ装着部と、前記テープ印刷装置用カートリッジのＩＣタグに記録された情報を読み込むリーダー部と、前記リーダー部により読み込まれた情報に基づき、前記テープ印刷装置用カートリッジが純正品であるか否かを識別し、当該テープ印刷装置用カートリッジが純正品でないとき、所定の情報を出力する制御部とを備える。
本発明においては、装着されたテープ印刷装置用カートリッジのＩＣタグの情報に基づき、当該テープ印刷装置用カートリッジが純正品であるか否かを識別し、純正品でない場合は、所定の情報を出力するので、当該テープ印刷装置用カートリッジが純正品でないことを、ユーザに認識させることができると共に、ユーザに対し純正品の使用を促すことができる。
【００１２】
本発明に係るテープ印刷装置においては、前記カートリッジ装着部に、上述した前記ＩＣタグに当該テープ印刷装置用カートリッジの製造元を特定する識別情報が記録されているテープ印刷装置用カートリッジが装着されたとき、前記制御部は、前記テープ印刷装置用カートリッジの製造元を特定する識別情報に基づき、前記テープ印刷装置用カートリッジが純正品であるか否かを識別する。
本発明においては、装着されたテープ印刷装置用カートリッジのＩＣタグに記録された、当該テープ印刷装置用カートリッジの製造元を特定する識別情報に基づき、当該テープ印刷装置用カートリッジが純正品か否かを識別することができる。
【００１３】
本発明に係るテープ印刷装置においては、前記カートリッジ装着部に、上述した前記ＩＣタグに当該ＩＣタグを唯一に特定する固有ＩＤが記録されたテープ印刷装置用カートリッジが装着されたとき、前記制御部は、前記ＩＣタグを唯一に特定する固有ＩＤの情報に基づき、前記テープ印刷装置用カートリッジが純正品であるか否かを識別する。
本発明においては、装着されたテープ印刷装置用カートリッジのＩＣタグに記録された、前記ＩＣタグを唯一に特定する固有ＩＤの情報に基づき、当該テープ印刷装置用カートリッジが純正品か否かを識別することができる。
【００１４】
本発明に係るテープ印刷装置においては、入力された情報を表示する表示部を備え、前記制御部は、前記テープ印刷装置用カートリッジが純正品でないとき、所定の情報を前記表示部へ出力する。
本発明においては、前記テープ印刷装置用カートリッジが純正品でないとき、所定の情報を前記表示部へ出力することにより、当該テープ印刷装置用カートリッジが純正品でないことを、ユーザに認識させることができると共に、ユーザに対し純正品の使用を促すことができる。
【００１５】
本発明に係るテープ印刷装置においては、入力された音声信号を出力するスピーカを備え、前記制御部は、前記テープ印刷装置用カートリッジが純正品でないとき、所定の音声信号を前記スピーカへ出力する。
本発明においては、テープ印刷装置用カートリッジが純正品でないとき、所定の音声信号を前記スピーカへ出力することにより、当該テープ印刷装置用カートリッジが純正品でないことを、ユーザに認識させることができると共に、ユーザに対し純正品の使用を促すことができる。
【００１６】
本発明に係るテープ印刷装置においては、前記制御部は、前記所定の情報を所定の時間出力した後、通常使用状態に移行する。
本発明においては、前記所定の情報を所定の時間出力した後、通常使用状態に移行することにより、前記テープ印刷装置用カートリッジが純正品でないことをユーザに認識させた後、通常の使用が可能となる。
【００１７】
本発明に係るテープ印刷装置においては、キー操作による信号を前記制御部に入力する入力部を備え、前記制御部は、前記所定の情報を出力した後、前記入力部から所定のキー操作信号が入力されたとき、通常使用状態に移行する。
本発明においては、前記所定の情報を出力した後、前記入力部から所定のキー操作により、通常使用状態に移行する、このため、前記テープ印刷装置用カートリッジが純正品でないことをユーザに認識させた後、通常の使用が可能となる。
【発明を実施するための最良の形態】
【００１８】
実施の形態１．
このテープ印刷装置は、テープ印刷装置本体１にテープ印刷装置用カートリッジであるカートリッジ２を装着し、カートリッジ２を介して装置内に装着した印字テープ２２に、熱転写方式（サーマル方式）により、所望の文字や図形などを印字（印刷）すると共に、印字テープ２２の印字済み部分を所定の長さに切断するものである。そして、印字後の印字テープ２２は、剥離紙を剥がして所望の位置に貼着されるものである。
【００１９】
図１は実施の形態１に係るテープ印刷装置の外観図、図２は実施の形態１に係るカートリッジの外観図である。図に示すように、本実施の形態１におけるテープ印刷装置は、テープ印刷装置本体１と、これに着脱自在に装着されるカートリッジ２とから成り、テープ印刷装置本体１は、上下２分割の装置ケース３により外殻が形成されている。装置ケース３の前部上面には、各種入力キー及び電源スイッチ等から成る入力部４が配設され、後部上面には、文字列及びその他各種情報が表示される表示部５、開閉自在な開閉蓋６が配設されている。
開閉蓋６の内側には、カートリッジ２を装着するためのカートリッジ装着部７が形成されており、カートリッジ２はこの開閉蓋６を開放した状態でカートリッジ装着部７に対し着脱される。さらに、このカートリッジ装着部７には、ＩＣタグ１００（後述）の情報を読み込むリーダー部３０（図３、図４参照）と、テープ送り機構により印字テープ２２を送り出すと共に印字を行う印刷処理部６０（図３参照）と、カートリッジ２の装着及び印字テープ２２の種別を検出する検出部７０（図３参照）とが内蔵されている。
また、装置ケース３の左側部には、送り出された印字テープ２２が排出されるテープ排出口（図示せず）が形成され、テープ排出口には、送り出した印字テープ２２をカッタモータ６３（図３参照）の駆動により切断するテープカッタ（図示せず）が臨んでいる。
【００２０】
カートリッジ２は、外殻を形成するカートリッジケース２０の内部に、テープコア２１にロール状に巻回した印字テープ２２と、一端側をインクリボンコア２３に巻回し、他端側を巻取りコア２５に巻回したインクリボン２４と、プラテン２６とが収容されている。印字テープ２２は、テープ印刷装置本体１のテープ送り機構により、プラテン２６及び巻取りコア２５が回転駆動され、テープコア２１から繰り出される一方、インクリボン２４は、インクリボンコア２３から繰り出され、印字テープ２２と重なって併走した後、巻取りコア２５に巻き取られる。尚、印字テープ２２は、粘着剤付きのテープ本体に剥離紙が貼着されている。
【００２１】
さらに、テープコア２１には、少なくとも当該カートリッジ２の製造元を特定する識別情報が記録されたＩＣタグ１００が貼着されている。尚、ＩＣタグ１００の貼着はテープコア２１に限らず、インクリボンコア２３又は巻取りコア２５に貼着しても良い。また、テープコア２１、インクリボンコア２３及び巻取りコア２５のすべてに貼着しても良いし、貼着箇所は一カ所に限らず、複数箇所に貼着しても良い。また、所定の治具を用いなければ着脱できないように取り付けても良い。
次に、本実施の形態におけるテープ印刷装置の制御系の構成について説明する。
【００２２】
図３は実施の形態１に係るテープ印刷装置の制御ブロック図である。図において、テープ印刷装置本体１は、テープ印刷装置全体を制御する制御部１０と、ＩＣタグ１００の情報を読み込むリーダー部３０と、キーボード４１を有し、キー操作による信号を制御部１０に入力する入力部４０と、ディスプレイ５１を有する表示部５０と、印字テープ２２に印字を行うサーマルヘッド６１、テープ送り機構を駆動して印字テープ２２を送る送りモータ６２、カット機構を駆動して印字テープ２２のカット動作を行うカッタモータ６３を有する印刷処理部６０と、テープ識別センサ７１を有する検出部７０と、各種ドライバを有する駆動部８０と、入力された音声信号を出力するスピーカ８４と、各構成機器に電源を供給する電源部９０（図３にて接続表示を一部省略）とにより構成され、カートリッジ２は、ＩＣタグ１００により構成される。
【００２３】
さらに、制御部１０は、ＣＰＵ（Central Processing Unit）１１、ＲＯＭ（Read Only Memory）１２、ＣＧ−ＲＯＭ（Character Generator ROM）１３、ＲＡＭ（Random Access Memory）１４及びＩＯＣ（Input Output Controller）１５を有しており、これらは互いに接続されている。ＲＯＭ１２は、ＣＰＵ１１で処理する制御プログラムや制御データ、純正品製造者を特定する識別情報が記憶されている。ＣＧ−ＲＯＭ１３は、文字、記号、図形などのフォントデータを記憶し、文字等を特定するコードデータが与えられたときに、対応するフォントデータを出力する。ＲＡＭ１４は、制御処理のための各種作業領域として使用される。ＩＯＣ１５には、ＣＰＵ１１の機能を補うと共に周辺回路とのインタフェース信号を取り扱うための論理回路が組み込まれており、入力部４０からの各種指令やフォントデータなどを取り込むと共に、ＣＰＵ１１等から出力されたデータや制御信号を駆動部８０に出力する。
そして、ＣＰＵ１１は、上記の構成により、ＲＯＭ１２内の制御プログラムに従って、ＩＯＣ１５を介して各種検出信号、各種指令、各種データ等を入力し、ＣＧ−ＲＯＭ１３からのフォントデータ、ＲＡＭ１４内の各種データ等を処理した後、ＩＯＣ１５を介して駆動部８０に制御信号を出力する。これにより、各種ドライバを介してディスプレイ５１の表示制御を行うと共に、サーマルヘッド６１を制御して所定の印字条件で印字テープ２２に印字させ、送りモータ６２、カッタモータ６３を制御して、印字テープ２２に対し所定の送り条件やカット条件でカットを行わせる。
【００２４】
検出部７０は、カートリッジ２の装着を検出し、装着された印字テープ２２のテープ幅など当該印字テープ２２に関する情報をテープ識別センサ７１により検出して制御部１０に与えるものである。印字テープ２２に関する情報の検出は、例えば、カートリッジ２にテープ幅を規定する孔等の物理的な識別要素を設け、テープ識別センサ７１はこの物理的な識別要素を読み取ってテープ幅情報を出力する。
【００２５】
リーダー部３０は、電磁誘導方式（非接触方式）のＩＣタグリーダーであり、後述する動作により、カートリッジ２のテープコア２１に貼着されたＩＣタグ１００の情報を読み込み制御部１０に与えるものである。
次に、ＩＣタグ１００及びリーダー部３０の詳細について図４により説明する。ここで言うＩＣタグとは、ＩＣチップとアンテナで構成され、自身の識別コード及びユーザが書き込んだ情報を記憶することができ、電波や電磁波でリーダーと無線通信する機能を持っている。
【００２６】
図４は実施の形態１に係るＩＣタグ及びリーダー部の構成図である。図に示すように、リーダー部３０は、リーダー制御部３０１と送受信部３０２により構成され、ＩＣタグ１００は、読み出し専用のＩＣタグ（ＲＦＩＤ）であり、送受信部１０１、ロジック回路１０２、メモリ１０３により構成されている。
リーダー部３０のリーダー制御部３０１は、所定の周波数の搬送波を生成し、送受信部３０２に有するループコイルに誘導電磁界を発生させ、信号の授受を行う。
ＩＣタグ１００の送受信部１０１はループコイルを有し、ロジック回路１０２は、送受信部１０１に誘起した信号を基に、動作電源を生成し、メモリ１０３に記憶された情報を読み込み、変調信号として送受信部１０１に送出する。ここで、電磁誘導方式に用いる搬送波は、例えば、１３．５６ＭＨｚを使用する。また、通信範囲は数１０ｃｍ程度である。尚、ＩＣタグ情報の伝送方式はこれに限らず、ＩＣタグ１００と、リーダー部３０とが信号の授受を行うことができればよく、他の伝送方式、例えば、接触方式によりＩＣタグ１００の情報を読み込んでも良い。メモリ１０３には、少なくとも当該カートリッジ２の製造元を特定する識別情報があらかじめ記憶されている。
【００２７】
このような構成により、本実施形態におけるカートリッジは、カートリッジ本体１に装着されたカートリッジ２が、純正品であるか否かを判断するカートリッジ識別動作を行った後、通常の印字動作（以下、通常使用状態）に移行し、印字テープ２２に印字する所望の文字などの入力及び印字並びに印字済み部分の切断など行う。
まず、カートリッジ識別動作の詳細を図５により説明する。
【００２８】
図５は実施の形態１に係るカートリッジの識別動作を示すフローチャートである。以下、図５に基づき動作を説明する。
まず、ユーザーは、カートリッジ２をテープ印刷装置本体１のカートリッジ装着部７に装着する。検出部７０のテープ識別センサ７１はカートリッジ２の装着を検出し、検出情報を制御部１０に入力する。制御部１０は、テープ識別センサ７１により検出された情報に基づき、カートリッジ２が装着されたか否かを判断する（Ｓ１）。カートリッジ２が装着されたと判断した場合、リーダー部３０に対し、ＩＣタグ１００の情報の読み込みを指示し、リーダー部３０は、ＩＣタグ１００に記録された情報を読み込み、読み込んだ情報を制御部１０に与える（Ｓ２）。
次に、制御部１０は、与えられたＩＣタグ１００に記録された情報と、ＲＯＭ１２に記録された純正品製造者の識別情報とを比較し、ＩＣタグ１００の製造元が純正品製造者と一致する場合は当該カートリッジ２は純正品であると判断し（Ｓ３）、通常使用状態へ移行する（Ｓ６）。
一方、ＩＣタグ１００の製造元が純正品製造者と一致しない場合、又は、リーダー部３０がＩＣタグ１００の情報を読み込むことができない場合、当該カートリッジ２が純正品でないと判断し、制御部１０は、表示部５０のディスプレイ５１に警告表示を行う（Ｓ４）。ここで、警告表示は、例えば、「純正でないので品質は保証しない」旨の表示を行う。
警告表示を所定の時間表示した後、又は、入力部４０のキーボードによる所定のキー操作により、警告表示に対する表示確認の操作がされたとき（Ｓ５）、通常使用状態に移行する（Ｓ６）。  
尚、カートリッジの識別動作は、カートリッジ２を装着したときに限らず、テープ印刷装置本体１の電源投入時または印字操作時など、所定のタイミングにより行っても良い。
【００２９】
次に、通常使用状態に移行した後、ユーザは、入力部４により所望の文字などの印字情報を入力し、同時に表示部５により入力結果を確認すると共に編集を行う。
ユーザにより、入力部４を介して印字の指示がなされると、制御部１０は、テープ送り機構が駆動して、カートリッジ２から印字テープ２２を繰り出すと同時に、サーマルヘッド６１を駆動させて、印字テープ２２に所望の印字を行う。そして、印字テープ２２の印字済み部分は、印字動作に並行してテープ排出口から連続的に外部に送り出された後、所定の位置でカットされる。
【００３０】
尚、上記説明では、警告表示を行った後、所定の時間経過又は表示確認の操作がされたとき、通常使用状態に移行させたが、警告表示を継続させカートリッジ２が純正品でない場合は、通常使用状態に移行させないようにしても良い。
【００３１】
また、カートリッジ２が純正品でないと判断された場合、所定の動作（例えば、印字動作）のみを使用できないようにしても良い。
【００３２】
以上のように本実施の形態１においては、テープ印刷装置本体１に装着されたカートリッジ２が純正品であるか否かを、テープコア２１に貼着されたＩＣタグ１００に記録された情報に基づき判断するので、リサイクル等によりカートリッジ２内部の印字テープ２２などの消耗品を詰め替えた場合であっても、当該カートリッジ２が純正品か否かを識別することができる。
また、カートリッジ２が純正品でないと判断したとき、警告表示を行った後、通常の印字動作に移行するので、ユーザに対し、当該カートリッジ２が純正品でないことを認識させることができ、純正品の使用を促すと共に、純正品に対する信用を害することがない。
【００３３】
尚、本実施の形態１においては、表示部５０による警告表示によりユーザに対して当該カートリッジ２が純正品でないことを認識させたが、制御部１０は所定の音声信号をスピーカ８４に入力し、表示部５０による警告表示を行うと共に、又は警告表示に換えて、スピーカ８４による音声メッセージにより、ユーザに対して警告しても良い。
【００３４】
また、ＩＣタグ１００に当該カートリッジの製造元を特定する識別情報を記録する場合を説明したが、これに加え、当該カートリッジ２に関する情報、例えば、印字テープ２２のテープ幅、テープ色、印字色、テープ種別、型式など、又は、当該カートリッジのリサイクル回数、交換した部品の情報などを記録しても良い。
【００３５】
実施の形態２．
上記実施の形態１においては、ＩＣタグ１００に記録されたカートリッジ２の製造元を特定する識別情報により、当該カートリッジ２が純正品であるか否かを判断したが、本実施の形態２では、当該ＩＣタグ１００を唯一に特定する識別情報である固有ＩＤ（以下、ユニークＩＤ）に基づき、当該カートリッジ２が純正品であるか否かを判断する。尚、テープ印刷装置本体１及びカートリッジ２の構成は、実施の形態１と同様である。
【００３６】
本実施の形態２におけるＩＣタグ１００のメモリ１０３には、標準規格（例えば、ISO/IEC15963）に基づき、個々のＩＣタグを唯一に特定する識別情報であるユニークＩＤが記録されている。尚、このユニークＩＤは書き換えることができないものである。
制御部１０には、純正品製造者が製造したカートリッジ２に貼着されるＩＣタグ１００のユニークＩＤの情報が保存されている。
【００３７】
本実施の形態２では、上述した実施の形態１の手順Ｓ３において、制御部１０は、ＩＣタグ１００に記録されたユニークＩＤの情報と、制御部１０に保存された純正品製造者のユニークＩＤの情報とを比較し、ＩＣタグ１００のユニークＩＤが純正品製造者のユニークＩＤに含まれるか否かにより、当該カートリッジ２が純正品か否かの判断を行う。尚、その他の動作は実施の形態１と同様である。
【００３８】
以上のように本実施の形態２においては、ＩＣタグ１００のユニークＩＤを用いて、当該カートリッジ２が純正品か否かを判断することにより、上述した実施の形態１の効果に加え、純正品製造者でない者により、純正品製造者の識別情報が書き込まれたＩＣタグが、カートリッジ２に貼着された場合であっても、当該カートリッジ２が純正品か否かを識別することができる。
【００３９】
尚、本実施の形態２では、リーダー部３０は、ＩＣタグ１００の情報の読み込みのみを行う構成としたが、リーダー部３０に換えてリーダ／ライタとし、ＩＣタグ１００をリード／ライトタイプとして、ＩＣタグ１００へ情報の書き込み／読み込みを行うことができる構成としても良い。このような構成とすることにより、例えば、印字テープ２２の使用量などを逐次書き込み、テープ残量を把握することができるとともに、書換え不可能なユニークＩＤにより当該カートリッジ２が純正品か否かの識別を行うことができる。
【図面の簡単な説明】
【００４０】
【図１】実施の形態１に係るテープ印刷装置の外観図である。
【図２】実施の形態１に係るカートリッジの外観図である。
【図３】実施の形態１に係るテープ印刷装置の制御ブロック図である。
【図４】実施の形態１に係るＩＣタグ及びリーダー部の構成図である。
【図５】実施の形態１に係るカートリッジの識別動作を示すフローチャートである。
【符号の説明】
【００４１】
１  テープ印刷装置本体、２  カートリッジ、３  装置ケース、４  入力部、５  表示部、６  開閉蓋、１０  制御部、２０  カートリッジケース、２１  テープコア、２２  印字テープ、２３  インクリボンコア、２４  インクリボン、２５  巻取りコア、２６  プラテン、３０  リーダー部、４０  入力部、４１  キーボード、５０  表示部、５１  ディスプレイ、６０  印刷処理部、６１  サーマルヘッド、６２  送りモータ、６３  カッタモータ、７０  検出部、７１  テープ識別センサ、８０  駆動部、８１  ディスプレイドライバ、８２  ヘッドドライバ、８３  モータドライバ、８４  スピーカ、９０  電源部、１００  ＩＣタグ、１０１  送受信部、１０２  ロジック回路、１０３  メモリ、３０１  リーダ制御部、３０２  送受信部。
【図１】
2008030436.tif 000003
【図２】
2008030436.tif 000004
【図３】
2008030436.tif 000005
【図４】
2008030436.tif 000006
【図５】
2008030436.tif 000007